(57)【要約】  【課題】  複数の楽曲再生装置を接続してもそれぞれの楽曲再生装置が有する楽曲を統合的に制御して重複させることなく再生することができると共に常に安定した状態で楽曲を再生することができる車載用音楽再生装置を提供する。  【解決手段】  車載用音楽再生装置Ａは、楽曲再生装置Ｂ〜楽曲再生装置Ｄを車載用音楽再生装置Ａに接続すると、楽曲リスト抽出部３で各楽曲再生装置から楽曲リストを抽出し、音質比較部４で抽出した全楽曲リストの重複した楽曲に対して音質の比較を行い、重複した楽曲から高音質の楽曲を自動的に選択すると共に、重複していない楽曲と合わせて総合楽曲リストを作成して楽曲再生部９やアンプ１０、スピーカ１１を用いて楽曲を総合楽曲リストに基づいて再生することができるので、楽曲再生装置Ｂ，Ｃ，Ｄに保存されている楽曲が重複した場合でも、重複した楽曲の中から高音質の楽曲を選択して再生する。【選択図】  図１
2007164914.tif 000002
【特許請求の範囲】
【請求項１】
少なくとも２つ以上の楽曲再生装置が接続可能に構成され前記楽曲再生装置に保存された楽曲を読み出し再生する車載用音楽再生装置において、
前記楽曲再生装置に保存された楽曲のリストを抽出する楽曲リスト抽出手段と、
前記楽曲リスト抽出手段で抽出した各楽曲リストにおいて重複した楽曲の音質を比較する音質比較手段と、
前記音質比較手段で比較した高音質の楽曲と前記各楽曲リストから重複した楽曲を除いた楽曲を統合して総合楽曲リストを作成する総合楽曲リスト作成手段とを備え、
前記総合楽曲リストに基づいて前記楽曲を再生することを特徴とする車載用音楽再生装置。
【請求項２】
前記車載用音楽再生装置は、前記音質比較手段で重複した前記楽曲の音質を比較した際に高音質の楽曲と低音質の楽曲とを選別する音質選別手段を備えることを特徴とする請求項１に記載の車載用音楽再生装置。
【請求項３】
前記音質選別手段は、低音質の楽曲リストを作成する低音質楽曲リスト作成手段を備えることを特徴とする請求項２に記載の車載用音楽再生装置。
【請求項４】
前記車載用音楽再生装置は、前記楽曲再生中におけるシステムのリソースを管理するリソース管理手段と、
前記リソース管理手段がリソース不足であると判断した時に前記総合楽曲リストを再構築する再構築手段を備えることを特徴とする請求項１から請求項３のいずれか一項に記載の車載用音楽再生装置。
【請求項５】
前記再構築手段は、前記リソース管理手段でシステムのリソース不足が検出されたとき前記総合楽曲リストの代替楽曲が前記低音質の楽曲リストにあるか否かを確認する確認手段と、
前記確認手段で確認された前記代替楽曲に変更することで前記リソース不足を解消できるか否かを判定する判定手段とを備え、
前記判定手段においてリソース不足が解消されると判定されたとき前記代替楽曲に切替えることを特徴とする請求項４に記載の車載用再生制御装置。
【請求項６】
前記車載用音楽再生装置は、目的地を設定して現在位置から前記目的地まで経路案内を行う経路案内手段を備えることを特徴とする請求項１から請求項５のいずれか１項に記載の車載用音楽再生装置。
【発明の詳細な説明】
【技術分野】
【０００１】
本発明は、複数のマルチメディアデータを再生する車載用再生装置に関する。
【背景技術】
【０００２】
近年、車載用の楽曲再生装置は、ＨＤＤ（ハードディスクドライブ）やフラッシュメモリを備え、このＨＤＤやフラッシュメモリに所定の圧縮フォーマットで圧縮して楽曲データ（音楽データ）を記憶（保存）すると共に再生できるようにしたものが知られている（例えば、特許文献１）。また、大容量のフラッシュメモリやＨＤＤを備えたポータブルオーディオを車内に持ち込み、車載オーディオやナビゲーション装置と接続して再生できるものが知られている。
【特許文献１】特開２００３−１４１８５５号公報
【発明の開示】
【発明が解決しようとする課題】
【０００３】
しかしながら、このような楽曲再生装置を車載オーディオやナビゲーション装置に複数接続して、それぞれの楽曲再生装置に保存されている楽曲を再生しようとすると、保存されている楽曲数が多いため使用者が所望する楽曲を選択するのが煩わしかった。また、楽曲再生装置を複数接続したときに同じ楽曲が重複するおそれがあり、同じ楽曲が意図せず何度も再生されてしまうというおそれがあった。
【０００４】
そこで本発明は、複数の楽曲再生装置を接続してもそれぞれの楽曲再生装置が有する楽曲を統合的に制御して再生することができると共に常に安定した状態で楽曲を再生することができる車載用音楽再生装置を提供することを目的とする。
【課題を解決するための手段】
【０００５】
本発明の車載用音楽再生装置は、少なくとも２つ以上の楽曲再生装置が接続可能に構成され前記楽曲再生装置に保存された楽曲を読み出し再生する車載用音楽再生装置において、前記楽曲再生装置に保存された楽曲のリストを抽出する楽曲リスト抽出手段と、前記楽曲リスト抽出手段で抽出した各楽曲リストにおいて重複した楽曲の音質を比較する音質比較手段と、前記音質比較手段で比較した高音質の楽曲と前記各楽曲リストから重複した楽曲を除いた楽曲を統合して総合楽曲リストを作成する総合楽曲リスト作成手段とを備え、前記総合楽曲リストに基づいて前記楽曲を再生する構成を有している。
【０００６】
このように構成された車載用音楽再生装置によれば、複数の楽曲再生装置が接続可能に構成され、車載用音楽再生装置に接続された楽曲再生装置から楽曲リストを抽出すると共に、複数の楽曲再生装置から抽出した楽曲リストにおいて重複した楽曲の音質を比較し、重複した楽曲のうち高音質の楽曲で総合楽曲リストを作成し、この総合楽曲リストに基づいて楽曲を再生することができるので、複数の楽曲再生装置に保存された楽曲を車載用音楽再生装置で再生することができると共に同じ楽曲が重複しても高音質の楽曲だけを再生することができるため、重複して再生することを防止することができる。
なお、楽曲再生装置とは、フラッシュメモリ等を用いた携帯型オーディオ、ハードディスクオーディオ、ＣＤ（コンパクディスク）、ＤＶＤ−Ａｕｄｉｏ（ディーブイディーオーディオ）等である。また、楽曲リストとは、楽曲再生装置に保存された楽曲（音楽）の曲目、曲調、圧縮レート等の一覧が示されたものである。
【０００７】
また、本発明の前記車載用音楽再生装置は、前記音質比較手段で前記重複した前記楽曲
の音質を比較した際に高音質の楽曲と低音質の楽曲とを選別する音質選別手段を備えて構成されている。
【０００８】
このように構成された車載用音楽再生装置によれば、各楽曲再生装置から抽出した楽曲リストで重複した楽曲を音質比較手段で比較した際に、音質選別手段を用いて高音質の楽曲と低音質の楽曲とを別けることができる。このため、総合楽曲リストを作成する際に、重複した楽曲が複数あったときでも高音質の楽曲を選択して総合楽曲リストを作成することができる。
【０００９】
また、本発明の車載用音楽再生装置の前記音質選別手段は、低音質の楽曲リストを作成する低音質楽曲リスト作成手段を備えて構成されている。
【００１０】
このように構成された車載用音楽再生装置によれば、重複した楽曲に対して音質選別手段で高音質と低音質の楽曲に選別した際に、低音質楽曲リスト作成手段で低音質の楽曲リストを作成することができる。このため、高音質で編集された総合楽曲リストと、低音質の楽曲リストを備えることができる。
【００１１】
また、本発明の前記車載用音楽再生装置は、前記楽曲再生中におけるシステムのリソースを管理するリソース管理手段と、前記リソース管理手段がリソース不足であると判断した時に前記総合楽曲リストを再構築する再構築手段を備えて構成されている。
【００１２】
このように構成された車載用音楽再生装置によれば、楽曲再生中における車載用音楽再生装置のシステムリソースをリソース管理手段で管理すると共に、楽曲再生中にシステムリソースが不足であるとリソース管理手段で判断すると、総合楽曲リストを再構築してリース不足を解消することができる。
【００１３】
また、本発明の前記車載用音楽再生装置の前記再構築手段は、前記リソース管理手段でシステムのリソース不足が検出されたとき前記総合楽曲リストの代替楽曲が前記低音質の楽曲リストにあるか否かを確認する確認手段と、前記確認手段で確認された前記代替楽曲に変更することで前記リソース不足を解消できるか否かを判定する判定手段とを備え、前記判定手段においてリソース不足が解消されると判定されたとき、前記代替楽曲に切替えるように構成されている。
【００１４】
このように構成された車載用音楽再生装置によれば、システムリソースが不足したときに、総合楽曲リストにある楽曲の代替楽曲が低音質の楽曲リストにあるか否かを確認手段で確認し、低音質の代替楽曲があるとき代替楽曲に変えることでリソース不足を解消できるか否かを判定し、解消できると判定されたときに総合楽曲リストの楽曲と低音質の楽曲リストを変えて再生することができる。このため、システムのリソース不足になっても、総合楽曲リストの楽曲に対して低音質の代替楽曲があるときは、代替楽曲に変更して再生することでリソース不足を解消することができる。
【００１５】
また、本発明の前記車載用音楽再生装置は、目的地を設定して現在位置から前記目的地まで経路案内を行う経路案内手段を備えて構成されている。
【００１６】
このように構成された車載用音楽再生装置によれば、目的地を設定して現在位置から目的地までの経路案内を行う経路案内手段を備えることで、経路案内を行いながら車載用音楽再生装置を利用することができる。
【発明の効果】
【００１７】
以上より、本発明の車載用音楽再生装置は、複数の楽曲再生装置を接続して楽曲再生装
置の楽曲を再生する際に、同じ楽曲を重複して再生することがなく高音質の楽曲を選択して再生することができ、システムリソースが不足した場合には、低音質楽曲リストから代替できる楽曲を確認して総合楽曲リストを再構築して負荷の少ない楽曲データに自動的に切替えることができるので、音切れ発生を防いで車載再生制御装置のリソース不足を軽減することができる。
【発明を実施するための最良の形態】
【００１８】
以下、図面を参照して本発明の実施形態について説明する。なお、楽曲リストにおける圧縮フォーマットは、ＭＰ３（ＭＰＥＧ  Ａｕｄｉｏ  Ｌａｙｅｒ−３）、ＡＡＣ（Ａｄｖａｎｃｅｄ  Ａｕｄｉｏ  Ｃｏｄｉｎｇ）、ＷＭＡ等を用いて説明する。以下に示す実施形態は、本発明の一実施例を示すものであり、この発明を限定するものではなく、本発明の範囲内で任意に変更可能である。
【００１９】
（第１の実施の形態）
図１は、本発明の第１の実施形態における車載用音楽再生装置の構成を示すブロック図である。
図１に示すように、第１の実施形態における車載用音楽再生装置Ａは、車載用音楽再生装置Ａを制御する制御部１と、外部と接続可能に構成された通信部２と、通信部２に接続された楽曲再生装置の楽曲リストを抽出する楽曲リスト抽出部３と、楽曲リスト抽出部３で抽出された楽曲リストで重複した楽曲の音質を比較する音質比較部４と、各楽曲リストから総合楽曲リストを作成する総合楽曲リスト作成部５と、車載用音楽再生装置Ａに備えられたＦＭやＡＭなどのラジオを受信するチューナ部６と、音楽ＣＤや音楽ＤＶＤを再生するＣＤ／ＤＶＤ再生部７と、ＣＤ／ＤＶＤ再生部７で音楽が再生されたときにリッピングする記憶部８と、総合楽曲再生リスト作成部５で作成された総合楽曲リストの楽曲の再生や、ＣＤ／ＤＶＤ再生部７での再生や、記憶部８に記憶された楽曲を再生する楽曲再生部９と、再生楽曲部９から出力される楽曲を増幅するアンプ１０と、アンプ１０で増幅された楽曲を再生出力するスピーカ１１と、車載用音楽再生装置Ａを操作すると共に接続された機器（楽曲再生装置、ＣＤ／ＤＶＤ再生部、チューナ部等）の操作を行うことができる操作部１２を有して構成されている。
【００２０】
ここで、制御部１は、ＣＰＵ、ＲＯＭ、ＲＡＭなどを備え、車載用音楽再生装置Ａの各部を制御するように構成されている。
通信部２は、外部の楽曲再生装置に対して、再生の指示や、楽曲データの一覧リストの取得を指示するコマンド送信機能、および外部の再生装置からの、再生状況の通知や、楽曲データの一覧リストの受信を行うコマンド受信機能を備えて構成されている。
【００２１】
楽曲リスト抽出部３は、通信部２に接続された楽曲再生装置に保存された楽曲リストを抽出することができるように構成されている。
音質比較部４は、楽曲リスト抽出部３で抽出された各楽曲再生装置の楽曲リスト及び記憶部８に保存されている楽曲リストから重複している楽曲の音質を比較することができるように構成されている。
【００２２】
総合楽曲再生リスト作成手段５は、音質比較部４で比較された重複した楽曲のうち高音質の楽曲と、重複していない楽曲をあわせた総合楽曲リストを作成することができ、車載用音楽再生装置Ａに接続された楽曲再生装置に保存された楽曲と、記憶部８に保存された楽曲とに関して楽曲を重複させずに再生することができる総合楽曲再生リストを作成することができるように構成されている。
【００２３】
チューナ部６は、ＦＭラジオ、ＡＭラジオ、ＴＶ等の電波を入力し、放送されているラジオ番組を受信することができる。
ＤＶＤ／ＣＤ再生部７は、音楽ＤＶＤ（ｄｉｇｉｔａｌ  ｖｅｒｓａｔｉｌｅ  ｄｉｓｋ）や音楽ＣＤ（ｃｏｍｐａｃｔ  ｄｉｓｃ）を再生することができるように構成されており、再生と同時に記憶部８にリッピングして保存することができるように構成されている。
【００２４】
記憶部８は、ＨＤＤ（ｈａｒｄ  ｄｉｓｋ  ｄｒｉｖｅ）やフラッシュメモリ等の記録媒体で構成されており、制御部１により実行される車載用音楽再生装置Ａの各種制御プログラムや、総合楽曲再生リスト作成部５で作成される総合楽曲再生リストや、楽曲リスト抽出部３で抽出した楽曲リストや、ＣＤ／ＤＶＤ再生部７で再生された楽曲データなどを保存できるように構成されている。
【００２５】
楽曲再生部９は、総合楽曲再生リスト作成部５で作成された総合楽曲リストの楽曲の再生や、ＣＤ／ＤＶＤ再生部７での再生や、記憶部８に記憶された楽曲を再生することができるように構成されている。
【００２６】
操作部１２は、電源のオンオフを指示する操作ボタン、楽曲を選択する操作ボタン、車載用音楽再生装置で再生するソース（ラジオ、音楽、通信部からの外部入力）を選択する操作ボタン等を備え、操作ボタンの動作を制御部１に通知して操作ボタンの動作に応じて車載用音楽再生装置Ａの電源のオン／オフ処理、楽曲再生時の選曲、再生操作処理などを行うことができるように構成されている。
【００２７】
次に、このように構成された第１の実施形態における車載用音楽再生装置Ａの動作について詳細に説明する。図２（ａ）及び図２（ｂ）は、楽曲再生装置の一例の構成を示す概略図である。
【００２８】
図２（ａ）に示すように、楽曲再生装置Ｂ（Ｃ）は、楽曲再生装置Ｂ（Ｃ）を制御する制御部１ｂ（１ｃ）と、外部との接続を可能とする通信部２ｂ（２ｃ）と、楽曲を保存する記憶部８ｂ（８ｃ）と、記憶部８ｂ（８ｃ）に保存された楽曲を再生する楽曲再生部９ｂ（９ｃ）とで構成されている。なお、楽曲再生装置Ｂには図示しないが楽曲再生装置Ｂ（Ｃ）を操作する操作部等も有しており、特に限定されるものではない。
【００２９】
また、記憶部８ｂ（８ｃ）には、楽曲が保存されており、楽曲再生装置Ｂ（Ｃ）の単体でも楽曲を再生することができるように構成されている。なお、楽曲再生装置として、例えば、楽曲再生装置としてＨＤＤオーディオ、ＳＤオーディオ、フラッシュメモリオーディオ等があげられる。
【００３０】
また、図２（ｂ）に示すように、楽曲再生装置Ｄは、外部との接続を可能とする通信部２ｄと、ＤＶＤ／ＣＤ読取部８ｄと、ＤＶＤ／ＣＤ読取部８ｄから楽曲を読み取り再生する楽曲再生部９ｄとで構成されている。ここで、ＤＶＤ／ＣＤ読取部８ｄは、音楽ＤＶＤや音楽ＣＤの楽曲データを読み取ることができるように構成されている。例えば、ポータブルＤＶＤプレイヤーやポータブルＣＤプレイヤー等である。
【００３１】
次に、車載用音楽再生装置Ａと楽曲再生装置Ｂ、Ｃ，Ｄを接続した時の動作について図面を用いて説明する。図３は、車載用音楽再生装置に各楽曲再生装置を接続した状態を示す概略図であり、図４（ａ）は、楽曲リスト抽出部が抽出する対象を示す概略図であり、図４（ｂ）〜図４（ｅ）は、楽曲リスト抽出部が抽出した楽曲再生装置ごとの楽曲リストである。図５（ａ）は、楽曲リスト抽出部が抽出した全ての楽曲リストであり、図５（ｂ）は、図５（ａ）の楽曲リストにおいて重複した楽曲を抽出した重複リストである。図６は、車載用音楽再生装置で作成された総合楽曲リストである。
【００３２】
図３に示すように、車載用音楽再生装置Ａの通信部２に楽曲再生装置Ｂ、Ｃ、Ｄの各通信部２ａが接続されると、図４（ａ）に示すように楽曲リストＡ、楽曲リストＢ、楽曲リストＣ、楽曲リストＤを抽出する。
【００３３】
このとき、図４（ｂ）に示すように車載用音楽再生装置Ａの記憶部８に保存されている楽曲リストを楽曲リストＡとし、図４（ｃ）に示すように楽曲再生装置Ｂの記憶部８ｂに保存されている全ての楽曲を楽曲リストＢとし、図４（ｄ）に示すように楽曲再生装置Ｃの記憶部８ｃに保存されている全ての楽曲を楽曲リストＣとし、図４（ｅ）に示すように楽曲再生装置ＤのＤＶＤ／ＣＤ読取部８ｄで再生可能な楽曲を楽曲リストＤとし楽曲リスト抽出部３が抽出する。
【００３４】
楽曲リスト抽出部３によって抽出された楽曲は、図５（ａ）に示すように楽曲リストＡから楽曲リストＤをまとめた全楽曲リストとなる。この全楽曲リストには、同じアーティスト、曲タイトル、楽曲時間が一致したものも含まれているので、音質比較部４を用いて重複した楽曲の音質を比較する。
【００３５】
この時、音質比較部４は、図５（ｂ）に示すように重複した楽曲に対してビットレートを比較し、ビットレートの高い楽曲を選択して高音質の楽曲を選択する。なお、無圧縮の楽曲がある場合には、無圧縮の楽曲が選択されるように構成されている。
【００３６】
次に、総合楽曲リスト作成部５を用いて、図６に示すように、全楽曲リストで重複した楽曲を除いた全ての楽曲と音質比較部４で選択された高音質の楽曲を用いて新しく総合楽曲リストを作成する。また、総合楽曲リスト作成部５で作成された総合楽曲リストは楽曲再生部９で、例えば、総合楽曲リストに基づいた再生、ランダム再生、頭だし再生等を自由に設定してアンプ１０、スピーカ１１を用いて再生（出力）することができる。
【００３７】
このように構成された第１の実施の形態における本発明の車載用音楽再生装置Ａは、楽曲再生装置Ｂ〜楽曲再生装置Ｄを車載用音楽再生装置Ａに接続すると、楽曲リスト抽出部３で各楽曲再生装置から楽曲リストを抽出し、音質比較部４で抽出した全楽曲リストの重複した楽曲に対して音質の比較を行い、重複した楽曲から高音質の楽曲を自動的に選択すると共に、重複していない楽曲と合わせて総合楽曲リストを作成して楽曲再生部９やアンプ１０、スピーカ１１を用いて楽曲を総合楽曲リストに基づいて再生することができるので、楽曲再生装置Ｂ，Ｃ，Ｄに保存されている楽曲が重複した場合でも、重複した楽曲の中から高音質の楽曲を選択して再生することができる。
【００３８】
（第２の実施の形態）
次に、第２の実施の形態について図面を用いて詳細に説明する。図７は、本発明の第２の実施形態における車載用音楽再生装置の構成を示すブロック図である。図８は、第２の実施形態に各楽曲再生装置を接続した状態を示すブロック図である。図９（ａ）は、低音質楽曲リスト作成部で作成された重複した楽曲の低音質楽曲リストであり、図９（ｂ）は、第２の実施形態における総合楽曲リストである。なお、第１の実施の形態と同じ箇所には同じ符号を付し、詳細な説明は省略する。
【００３９】
図７に示すように、第２の実施形態における車載用音楽再生装置Ａ１は、車載用音楽再生装置Ａ１を制御する制御部１と、外部と接続可能に構成された通信部２と、通信部２に接続された楽曲再生装置の楽曲リストを抽出する楽曲リスト抽出部３と、楽曲リスト抽出部３で抽出された楽曲リストで重複した楽曲の音質を比較する音質比較部４と、音質比較部４で比較された高音質の楽曲と低音質の楽曲から低音質楽曲リストを作成する低音質楽曲リスト作成部４ａと、各楽曲リストから総合楽曲リストを作成する総合楽曲リスト作成部５と、車載用音楽再生装置Ａに備えられたＦＭやＡＭなどのラジオを受信するチューナ
部６と、音楽ＣＤや音楽ＤＶＤを再生するＣＤ／ＤＶＤ再生部７と、ＣＤ／ＤＶＤ再生部７で音楽が再生されたときにリッピングする記憶部８と、総合楽曲再生リスト作成部５で作成された総合楽曲リストの楽曲の再生や、ＣＤ／ＤＶＤ再生部７での再生や、記憶部８に記憶された楽曲を再生する楽曲再生部９と、再生楽曲部９から出力される楽曲を増幅するアンプ１０と、アンプ１０で増幅された楽曲を再生出力するスピーカ１１と、車載用音楽再生装置Ａを操作すると共に接続された機器（楽曲再生装置、ＣＤ／ＤＶＤ再生部、チューナ部等）の操作を行うことができる操作部１２を有して構成されている。
【００４０】
ここで、低音質楽曲リスト作成部４ａ（音質選別手段）は、音質比較部４で重複した楽曲に対して高音質であるか低音質であるかを比較すると共に低音質の楽曲だけを選別してあつめた低音質楽曲リストを作成することができるように構成されている。
【００４１】
次に、このように構成された車載用音楽再生装置Ａ１の動作について詳細に説明する。
図８に示すように、通信部２に楽曲再生装置Ｂ、楽曲再生装置Ｃ，楽曲再生装置Ｄが接続されると、楽曲リスト抽出部３で各楽曲再生装置（Ｂ，Ｃ，Ｄ）から楽曲リストを抽出し、抽出した全楽曲リストの重複した楽曲に対して音質比較部４で音質の比較を行う。
【００４２】
このとき、図９（ａ）に示すように、音質比較部４で重複した楽曲から低音質の楽曲だけ選別して低音質楽曲リスト作成部４ａで低音質楽曲リストを作成する。そして、図９（ｂ）に示すように、音質比較部４で選択された高音質の楽曲と重複していない楽曲と合わせて総合楽曲リストを作成する。
【００４３】
そして、総合楽曲リスト作成部５で作成された総合楽曲リストは、楽曲再生部９で、例えば、総合楽曲リストに基づいた再生、ランダム再生、頭だし再生等を自由に設定してアンプ１０、スピーカ１１を用いて再生（出力）することができる。
【００４４】
このように構成された第２の実施の形態における本発明の車載用音楽再生装置Ａ１は、楽曲再生装置Ｂ〜楽曲再生装置Ｄを車載用音楽再生装置Ａ１に接続すると、楽曲リスト抽出部３で各楽曲再生装置から楽曲リストを抽出し、音質比較部４で抽出した全楽曲リストの重複した楽曲に対して音質の比較を行い、低音質楽曲リスト作成部４ａで低音質だけの低音質楽曲リストを作成し、音質比較部４で比較された高音質の楽曲と重複していない楽曲と合わせて総合楽曲リストを作成して楽曲再生部９やアンプ１０、スピーカ１１を用いて楽曲を総合楽曲リストに基づいて再生することができるので、車載用音楽再生装置Ａ１に接続された楽曲再生装置Ｂ，Ｃ，Ｄに保存されている楽曲が重複した場合でも、重複した楽曲の中から高音質の楽曲を選択して再生することができる。
【００４５】
（第３の実施の形態）
次に、第３の実施の形態について図面を用いて詳細に説明する。図１０は、本発明の第３の実施形態における車載音楽再生装置の構成を示すブロック図である。図１１（ａ）は、楽曲を再生するときの車載音楽再生装置におけるリソース占有率も含んだ総合楽曲リストであり、図１１（ｂ）は、低音質楽曲リスト作成部で作成された重複した低音質の楽曲を再生したときの車載音楽再生装置におけるリソース占有率も含んだ低音質楽曲リストである。図１２は、再構築部によって再構築された総合楽曲リストである。なお、第１の実施の形態又は第２の実施の形態と同じ箇所には同じ符号を付し、詳細な説明は省略する。
【００４６】
図１０に示すように、第３の実施形態における車載用音楽再生装置Ａ２は、車載用音楽再生装置Ａ２を制御する制御部１と、制御部１のリソースを管理するリソース管理部１Ａと、リソース管理部１Ａでリソース不足が生じると判断されたとき総合楽曲リスト作成部５にリソース不足を解消するようにリストの再構築を行う再構築部１Ｂと、外部と接続可能に構成された通信部２と、通信部２に接続された楽曲再生装置の楽曲リストを抽出する
楽曲リスト抽出部３と、楽曲リスト抽出部３で抽出された楽曲リストで重複した楽曲の音質を比較する音質比較部４と、音質比較部４で比較された高音質の楽曲と低音質の楽曲から低音質楽曲リストを作成する低音質楽曲リスト作成部４ａと、各楽曲リストから総合楽曲リストを作成する総合楽曲リスト作成部５と、車載用音楽再生装置Ａに備えられたＦＭやＡＭなどのラジオを受信するチューナ部６と、音楽ＣＤや音楽ＤＶＤを再生するＣＤ／ＤＶＤ再生部７と、ＣＤ／ＤＶＤ再生部７で音楽が再生されたときにリッピングする記憶部８と、総合楽曲再生リスト作成部５で作成された総合楽曲リストの楽曲の再生や、ＣＤ／ＤＶＤ再生部７での再生や、記憶部８に記憶された楽曲を再生する楽曲再生部９と、再生楽曲部９から出力される楽曲を増幅するアンプ１０と、アンプ１０で増幅された楽曲を再生出力するスピーカ１１と、車載用音楽再生装置Ａを操作すると共に接続された機器（楽曲再生装置、ＣＤ／ＤＶＤ再生部、チューナ部等）の操作を行うことができる操作部１２とを有して構成されている。
【００４７】
ここで、リソース管理部１Ａとは、車載用音楽再生装置Ａ２のシステムリソースを監視及び管理するものであり、楽曲を再生する際にシステムリソースの不足が生じる可能性があると判断されると、総合楽曲リストを再構築するように再構築部１Ｂに指示が送られるように構成されている。
【００４８】
また、再構築部１Ｂ（再構築手段）は、リソース管理部１Ａでシステムのリソース不足が生じる可能性があると判断されると、総合楽曲再生リスト作成部５で作成された総合楽曲リストの代替楽曲が低音質楽曲リスト作成部４ａで作成した低音質楽曲リストにあるか否かを確認する確認手段と、確認手段で総合楽曲リストの代替楽曲が低音質楽曲リストにあるとき、低音質楽曲リストにある代替楽曲に切替えることで車載用音楽再生装置Ａ２のリソース不足を解消できるか否かを判定する判定部を備えて構成されている。
【００４９】
次に、このように構成された車載用音楽再生装置Ａ２の動作について詳細に説明する。
車載用音楽再生装置Ａ２は、車載用音楽再生装置Ａ２の通信部２に楽曲再生装置Ｂ〜楽曲再生装置Ｄを接続すると、楽曲リスト抽出部３で各楽曲再生装置から楽曲リストを抽出し、音質比較部４で抽出した全楽曲リストの重複した楽曲に対して音質の比較を行い、重複した楽曲から高音質の楽曲を自動的に選択すると共に、重複していない楽曲と合わせて総合楽曲リストを作成して楽曲再生部９やアンプ１０、スピーカ１１を用いて楽曲を総合楽曲リストに基づいて再生することができる。
【００５０】
車載用音楽再生装置Ａ２で楽曲を再生しているとき、リソース管理部１Ａで車載用音楽再生装置Ａ２のリソース不足が生じる可能性があると判断されると、図１１（ａ）に示す総合楽曲リストの楽曲の代替楽曲が図１１（ｂ）に示す低音質楽曲リストにあるか否かを再構築部１Ｂの確認手段で確認する。
【００５１】
このとき、確認手段は、総合楽曲リストと低音質楽曲リストにある代替楽曲を探し、例えば、図１１（ａ）の総合楽曲リストの曲番１０３、曲番１０５、曲番１０６の楽曲が図１１（ｂ）に示す低音質楽曲リストの曲番３、曲番４、曲番８３の楽曲と同じであると判断する。
【００５２】
そして、図１１（ａ）の総合楽曲リストの曲番１０３と図１１（ｂ）の低音質楽曲リストの曲番３のリソース占有率を比較し、図１１（ａ）の総合楽曲リストの曲番１０５と図１１（ｂ）の低音質楽曲リストの曲番４のリソース占有率を比較し、図１１（ａ）の総合楽曲リストの曲番１０６と図１１（ｂ）の低音質楽曲リストの曲番８３のリソース占有率を比較して低音質楽曲リストにある楽曲を再生することで車載用音楽再生装置Ａ２のリソース不足を解消することができるか再構築部１Ｂの判定部で判定する。
【００５３】
ここで、図１１（ａ）の総合楽曲リストの曲番１０３のリソース占有率は７０であり、図１１（ｂ）の低音質楽曲リストの曲番３のリソース占有率は５であり、図１１（ａ）の総合楽曲リストの曲番１０５のリソース占有率は７０であり、図１１（ｂ）の低音質楽曲リストの曲番４のリソース占有率は５０であり、図１１（ａ）の総合楽曲リストの曲番１０６のリソース占有率は７０であり、図１１（ｂ）の低音質楽曲リストの曲番８３のリソース占有率は５であるため、低音質楽曲リストにある楽曲に切替えて再生することで車載用音楽再生装置Ａ２のリソース占有率を下げることができる。
【００５４】
そして、総合楽曲リストにある楽曲に対してリソース占有率を下げることができる代替楽曲が低音質楽曲リストにあるか否かを確認手段で確認し、代替楽曲があるときには代替楽曲に切替え、図１２に示すように車載用音楽再生装置Ａ２で楽曲を再生してもリソース不足が生じないように総合楽曲リストを再構築部１Ｂで再構築する。
【００５５】
このように構成された第３の実施の形態における本発明の車載用音楽再生装置Ａ２は、楽曲再生装置Ｂ〜楽曲再生装置Ｄを車載用音楽再生装置Ａ１に接続すると、楽曲リスト抽出部３で各楽曲再生装置から楽曲リストを抽出し、音質比較部４で抽出した全楽曲リストの重複した楽曲に対して音質の比較を行い、低音質楽曲リスト作成部４ａで低音質だけの低音質楽曲リストを作成し、音質比較部４で比較された高音質の楽曲と重複していない楽曲と合わせて総合楽曲リストを作成して楽曲再生部９やアンプ１０、スピーカ１１を用いて楽曲を総合楽曲リストに基づいて再生しているときに、楽曲を再生することによって車載用音楽再生装置Ａ２のリソース不足が生じる可能性があるとリソース管理部１Ａで判断されると、総合楽曲リストと同じ楽曲が低音質楽曲リストにあるか否かを確認し、同じ楽曲があると共に切替えることでリソース不足が解消されるときは、総合楽曲リストを再構築部１Ｂで再構築することができ、車載用再生装置Ａ２がリソース不足を起こさずに安定して楽曲を再生することができる。
【００５６】
以上、本発明の第１の実施形態から第３の実施形態まで説明したが、本発明を限定するものではなく、種々の変更を行っても同様の効果を得るものである。
【００５７】
本発明の車載用音楽再生装置Ａ（Ａ１、Ａ２）に総合楽曲リストを表示する表示手段を設けて、楽曲を再生する際に選択して再生するように構成してもよい。なお、表示手段とは、特に限定されるものではなく、液晶ディスプレイ、有機ＥＬディスプレイ、ＬＥＤディスプレイ、プラズマディスプレイ等を用いることができる。
【００５８】
また、図１３（ａ）に示すように、第１の実施形態から第３の実施形態で示した車載用音楽再生装置Ａ（Ａ１、Ａ２）の内部に経路案内部１３を備え、ナビゲーション機能を有する車載用音楽再生装置Ａ（Ａ１、Ａ２）としてもよい。なお、経路案内部１３は、ＧＰＳ等の自車位置を検出し現在位置から目的地を設定して経路案内を行うことができるものである、公知技術のナビゲーション機能であり、特に限定されるものでない。
【００５９】
特に、車載用音楽再生装置Ａ（Ａ１、Ａ２）にナビゲーション機能を備えることで、経路案内を行いながら楽曲を再生することができると共に楽曲を再生することでリソース不足が生じてしまう恐れがあったときでも、リソース不足を生じないように総合楽曲リストを再構築するので、ナビゲーション機能に影響を与えず楽曲を再生することができる。
【００６０】
また、図１３（ｂ）に示すように、第１の実施形態から第３の実施形態で示した車載用音楽再生装置Ａ（Ａ１、Ａ２）に外部に設けた経路案内装置１３ａを接続するように構成してもよい。なお、経路案内装置１３ａは、公知技術であるナビゲーション装置であり、特に限定されるものではなく、ナビゲーション装置に設けられた地図や案内経路を表示する画面に総合楽曲リストを表示したり、画面から車載用音楽再生装置Ａ（Ａ１、Ａ２）の
操作を行うように構成しても同様の効果を得ることができる。
【００６１】
特に、経路案内中にルートを外れたときの再探索処理（再経路探索）等によってリソース不足が生じてしまう恐れがあるときは、本発明の車載用音楽再生装置Ａ（Ａ１、Ａ２）は総合再生リストを再構築するので、再探索処置やナビゲーション機能に影響を与えずに使用することができる。
【産業上の利用可能性】
【００６２】
以上のように、本発明にかかる車載用音楽再生装置は、複数の楽曲再生装置を接続してもそれぞれの楽曲再生装置が有する楽曲を統合的に制御して重複させることなく再生することができると共に常にシステムリソース不足が生じ恐れがあるときには、総合再生リストを再構築してリソース不足を生じさせないため常に安定した状態で楽曲を再生することができる車載用音楽再生装置等として有用である。
【図面の簡単な説明】
【００６３】
【図１】本発明の第１の実施形態における車載用音楽再生装置の構成を示すブロック図
【図２】（ａ）楽曲再生装置の一例の構成を示す概略図（ｂ）楽曲再生装置の一例の構成を示す概略図
【図３】車載用音楽再生装置に各楽曲再生装置を接続した状態を示す概略図
【図４】（ａ）楽曲リスト抽出部が抽出する対象を示す概略図（ｂ）〜（ｅ）楽曲リスト抽出部が抽出した楽曲再生装置ごとの楽曲リストを示す図
【図５】（ａ）楽曲リスト抽出部が抽出した全ての楽曲リストを示す図（ｂ）図５（ａ）の楽曲リストにおいて重複した楽曲を抽出した重複リストを示す図
【図６】車載用音楽再生装置で作成された総合楽曲リストを示す図
【図７】本発明の第２の実施形態における車載用音楽再生装置の構成を示すブロック図
【図８】第２の実施形態に各楽曲再生装置を接続した状態を示すブロック図
【図９】（ａ）低音質楽曲リスト作成部で作成された重複した楽曲の低音質楽曲リストを示す図（ｂ）第２の実施形態における総合楽曲リストを示す図
【図１０】本発明の第３の実施形態における車載音楽再生装置の構成を示すブロック図
【図１１】（ａ）楽曲を再生するときの車載音楽再生装置におけるリソース占有率も含んだ総合楽曲リストを示す図（ｂ）低音質楽曲リスト作成部で作成された重複した低音質の楽曲を再生したときの車載音楽再生装置におけるリソース占有率も含んだ低音質楽曲リストを示す図
【図１２】再構築部によって再構築された総合楽曲リストを示す図
【図１３】（ａ）第１の実施形態から第３の実施形態で示した車載用音楽再生装置の内部に経路案内部を備えたブロック図（ｂ）第１の実施形態から第３の実施形態で示した車載用音楽再生装置の外部に経路案装置を接続した構成を示すブロック図
【符号の説明】
【００６４】
１      制御部
１ｂ    制御部
１ｃ    制御部
１ｄ    制御部
１Ａ    リソース管理部
１Ｂ    再構築部
２      通信部
２ｂ    通信部
２ｃ    通信部
２ｄ    通信部
３      楽曲リスト抽出部
４      音質比較部
４ａ    低音質楽曲リスト作成部
５      総合楽曲リスト作成部
６      チューナ部
７      ＤＶＤ／ＣＤ読取部
８      記憶部
８ｂ    記憶部
８ｃ    記憶部
８ｄ    ＤＶＤ／ＣＤ読取部
９      楽曲再生部
９ｂ    楽曲再生部
９ｃ    楽曲再生部
９ｄ    楽曲再生部
１０    アンプ
１１    スピーカ
１２    操作部
１３    経路案内部
１３ａ  経路案内装置
Ａ      車載用音楽再生装置
Ａ１    車載用音楽再生装置
Ａ２    車載用音楽再生装置
Ｂ      楽曲再生装置
Ｃ      楽曲再生装置
Ｄ      楽曲再生装置
【図１】
2007164914.tif 000003
【図２】
2007164914.tif 000004
【図３】
2007164914.tif 000005
【図４】
2007164914.tif 000006
【図５】
2007164914.tif 000007
【図６】
2007164914.tif 000008
【図７】
2007164914.tif 000009
【図８】
2007164914.tif 000010
【図９】
2007164914.tif 000011
【図１０】
2007164914.tif 000012
【図１１】
2007164914.tif 000013
【図１２】
2007164914.tif 000014
【図１３】
2007164914.tif 000015